(57)【要約】【課題】  従来、吸引器は、たとえば、排水詰まりの修理用であればその用途にしか使えなかった。  従来の吸引器を利用して、手動の水ポンプとして活用する手段を提供する。【解決手段】  吸引器を利用した、取付け取外しができる手動水ポンプであり、吸水管、吐水管、チェンバー、取付け部からなり、吸水管、吐水管はチェンバーから二股状で鋭角に分かれ、先拡がりの形で吸水管、吐水管の先端にそれぞれノズルを装着し、吸水管、吐水管共に逆止弁室内部に逆止弁とそれを押さえるスプリングを設けており、そのため、両者はチェンバーに対して互いに逆向きに配置されており、本器を取付けた、吸引器のハンドルの引き押しによって連続的なポンプ動作を行い、手動の水ポンプとして利用することを特徴とする取付け式水ポンプ。【選択図】図１
2014211153.tif 000002
【特許請求の範囲】
【請求項１】
取付け部を介して吸引器を取付け、手動水ポンプとして活用する取付け式水ポンプであり、取付け部において、一端は吸引器に取付ける取付け口を有し、他端にチェンバーを取付け、チェンバーの他端は二股に分かれ、吸水管と吐水管を配置し、吐水管は取付け部、および、チェンバーの延長線方向に真っ直ぐにチェンバーに取付け、吸水管は吐水管に対しチェンバーに鋭角の角度で取付け、先拡がりとし、吸水管は吸水室とラッパ状に拡大した異径部と、それに連なる一回り大きな逆止弁室からなり、逆止弁室はチェンバーに接続し、吸水ノズルは吸水室の吸水口の先端に装着し、逆止弁は逆止弁室の異径部に設け、逆止弁は常に異径部に密着するようにスプリングで押し、スプリングの一端はスプリング押えを、吸水出口側の逆止弁室の内径に挿入し、スプリングの一端を固定し、吐水管は吸水管と同じ構造で逆止弁室、および、異径部を有するがチェンバーに対し、吸水管とは逆向きに配置し吐水管は逆止弁室とラッパ状に縮小した異径部とそれに連なる一回り小さな吐水流入室からなり、吐水流入室はチェンバーに接続し、吐水ノズルは逆止弁室の吐水口の先端に装着し、逆止弁は逆止弁室の異径部に設け、逆止弁は常に異径部に密着するようにスプリングで押し、スプリングの一端はスプリング押えを、吐水口側の逆止弁室の内径に挿入し、スプリングの一端を固定したことを特徴とする取付け式水ポンプ。
【発明の詳細な説明】
【技術分野】
【０００１】  本発明は、市販の吸引器（以下、吸引器という）を利用して手動水ポンプとして活用するための取付け式水ポンプに関するものである。
【背景技術】
【０００２】  従来、吸引器は排水詰まりの修理のためのものであった。
【発明の概要】
【発明が解決しようとする課題】
【０００３】  そのために、次のような問題点がある。
吸引器は排水詰まりの修理用具であればあくまでもその用途にしか使えなかった。
もちろん、吸引器は水を吸い込むことができる。
また、その水を吐き出すこともできる。
しかし、それは一往復毎の断絶した動作であって連続的に水を吸い込み吐き出すものではない。
ここでは、既存の様々な用途に使われているポンプのことではなく、あくまでも現に使われている吸引器を利用して手動水ポンプとして活用するための方法、手段を提供しようとするものである。
【課題を解決するための手段】
【０００４】  吸引器を本発明の取付け部を介して取付け、手動水ポンプとして活用する取付け式水ポンプである。
取付け部において、一端は吸引器に取付ける取付け口を有し、他端にチェンバーを取付ける。
チェンバーの他端は二股に分かれ、吸水管と吐水管を配置する。
吐水管は取付け部、および、チェンバーの延長線方向に真っ直ぐにチェンバーに取付ける。
吸水管は吐水管に対しチェンバーに鋭角の角度で取付け先拡がりになる形にする。
吸水管は吸水室とラッパ状に拡大した異径部と、それに連なる一回り大きな逆止弁室からなり、逆止弁室はチェンバーに接続する。
吸水ノズルは吸水室の吸水口の先端に装着し、逆止弁は逆止弁室の異径部に設け、逆止弁は常に異径部に密着するようにスプリングで押し、スプリングの一端はスプリング押さえを吸水出口側の逆止弁室の内径に挿入し、スプリングの一端を固定する。
吐水管は吸水管と同じ構造で逆止弁室、および、異径部を有するがチェンバーに対し吸水管とは逆向きに配置する。
吐水管は逆止弁室とラッパ状に縮小した異径部とそれに連なる一回り小さな吐水流入室からなり、吐水流入室はチェンバーに接続する。
吐水ノズルは逆止弁室の吐水口の先端に装着し、逆止弁は逆止弁室の異径部に設け、逆止弁は常に異径部に密着するようにスプリングで押し、スプリングの一端はスプリング押えを、吐水口側の逆止弁室の内径に挿入し、スプリングの一端を固定する。
以上を特徴とする取付け式水ポンプである。
【発明の効果】
【０００５】  従来の吸引器に本発明を取付ければ手動水ポンプとして活用できるため、水を汲み上げたり移送したりと吸水器の活用範囲を拡げることが出来る。
【図面の簡単な説明】
【０００６】
【図１】  本発明の内部構造を示した断面図である。
【図２】  本発明の実施例を示した斜視図である。
【発明を実施するための形態】
【０００７】  以下、本発明の実施の形態を図１、図２に基づいて説明する。
吸引器（２３）を本発明の取付け部（１２）を介して取付け、手動水ポンプとして活用する取付け式水ポンプである。
取付け部（１２）において、一端は吸引器（２３）に取付ける取付け口（１３）を有し、他端にチェンバー（１１）を取付ける。
チェンバー（１１）の他端は二股に分かれ、吸水管（１）と吐水管（１４）を配置する。
吐水管（１４）は取付け部（１２）及びチェンバー（１１）の延長線方向に真っ直ぐにチェンバー（１１）に取付ける。
吸水管（１）は吐水管（１４）に対しチェンバー（１１）に鋭角の角度で取付け、先拡がりになる形にする。
吸水管（１）は吸水室（２）とラッパ状に拡大した異径部（３）とそれに連なる一回り大きな逆止弁室（４）からなり、逆止弁室（４）はチェンバー（１１）に接続する。
吸水ノズル（６）は吸水室（２）の吸水口（５）の先端に装着し、逆止弁（７）は逆止弁室（４）の異径部（３）に設け、逆止弁（７）は常に、異径部（３）に密着するようにスプリング（８）で押し、スプリング（８）の一端はスプリング押え（９）を、吸水出口（１０）側の逆止弁室（４）の内径に挿入し、スプリング（８）の一端を固定する。
吐水管（１４）は吸水管（１）と同じ構造で逆止弁室（１５）、および、異径部（１６）を有するがチェンバー（１１）に対し、吸水管（１）とは逆向きに配置する。
吐水管（１４）は逆止弁室（１５）とラッパ状に縮小した異径部（１６）とそれに連なる一回り小さな吐水流入室（１７）から成り、吐水流入室（１７）はチェンバー（１１）に接続する。
吐水ノズル（１９）は逆止弁室（１５）の吐水口（１８）の先端に装着し、逆止弁（２０）は逆止弁室（１５）の異径部（１６）に設け、逆止弁（２０）は常に異径部（１６）に密着するようにスプリング（２１）で押し、スプリング（２１）の一端はスプリング押え（２２）を、吐水口（１８）側の逆止弁室（１５）の内径に挿入しスプリング（２１）の一端を固定する。
本発明は以上のような構成で以下、使用方法を説明する。
吸引器（２３）を本発明の取付け口（１３）に取付け、吸水ノズル（６）、および、吐水ノズル（１９）に別途ホース（２４）を取付け、別途容器（２５）内に吸水ノズル（６）からの別途ホース（２４）を入れる。
吸引器（２３）のハンドル（２７）を引くと吸水管（１）の逆止弁（７）は吸引圧力により、スプリング（８）を吸水出口（１０）側へ押しやると同時に逆止弁（７）も吸水出口（１０）側へ移動し、別途容器（２５）の水（２６）は別途ホース（２４）を通り吸水ノズル（６）より流入し、吸水室（２）、逆止弁室（４）、チェンバー（１１）内を経て吸引器（２３）に溜まる。
このとき、吐水管（１４）の逆止弁（２０）は吸引圧力に依り異径部（１６）で吐水流入室（１７）側へ引っぱられ閉鎖する。
次に吸引器（２３）のハンドル（２７）を押すと吸引器（２３）内の水（２６）は加圧され、チェンバー（１１）内を経て吐水管（１４）の吐水流入室（１７）へ入り、逆止弁（２０）を押し、逆止弁（２０）はスプリング（２１）を吐水口（１８）側へ押しやると同時に逆止弁（２０）も吐水口（１８）側へ移動し、水（２６）は逆止弁室（１５）を経て吐水ノズル（１９）より吐水される。
このとき、吸水管（１）の逆止弁（７）は加圧された水（２６）により異径部（３）で吸水室（２）側へ押され閉鎖する。
この様に吸引器（２３）のハンドル（２７）を動かすことにより、水ポンプとして活用できる。
また、吸引器（２３）を上方へかざしても吸水管（１）、および、吐水管（１４）のスプリング（８）、スプリング（２１）の作用により、水ポンプとしての機能は変わらない。
本発明を吸引器（２３）に取付けることで吸引器（２３）の活用範囲を拡げることができる。
【符号の説明】
【０００８】１  吸水管
２  吸水室
３  異径部
４  逆止弁室
５  吸水口
６  吸水ノズル
７  逆止弁
８  スプリング
９  スプリング押え
１０  吸水出口
１１  チェンバー
１２  取付け部
１３  取付け口
１４  吐水管
１５  逆止弁室
１６  異径部
１７  吐水流入室
１８  吐水口
１９  吐水ノズル
２０  逆止弁
２１  スプリング
２２  スプリング押え
２３  吸引器
２４  別途ホース
２５  別途容器
２６  水
２７  ハンドル
【図１】
2014211153.tif 000003
【図２】
2014211153.tif 000004